(57)【要約】【課題】屋内の照度を斑なく、より精緻に調節可能とし、さらに、省エネ化に資する栽培施設を提供する。【解決手段】  互いに平行な姿勢で同一平面上に等間隔に配置され、同期して回転可能に構成された複数のルーバーと、前記複数のルーバーの遮光面にそれぞれ配設された太陽光パネルを有するルーバー装置１１と、  栽培施設内の実照度を測定する照度測定手段と、  前記ルーバー装置を制御可能に構成された環境制御部１３と、を備え、  前記環境制御部１３は、前記照度測定手段が測定した実照度の情報を取得し、屋内の実照度の測定値に基づいて、複数のルーバーの回転方向及び回転角を制御することを特徴とする栽培施設１によって、上記課題の解決が図られる。【選択図】      図１
2019198268.tif 000002
【特許請求の範囲】
【請求項１】
互いに平行な姿勢で同一平面上に等間隔に配置され、同期して回転可能に構成された複数のルーバーと、前記複数のルーバーの遮光面にそれぞれ配設された太陽光パネルとを有するルーバー装置と、
栽培施設内の実照度を測定する照度測定手段と、
前記ルーバー装置を制御可能に構成された環境制御部と、を備え、
前記環境制御部は、前記照度測定手段が測定した実照度の情報を取得し、屋内の実照度の測定値に基づいて、複数のルーバーの回転方向及び回転角を制御することを特徴とする栽培施設。
【請求項２】
前記ルーバー部は、前記太陽光パネルの発電を充電する蓄電池と、前記太陽光パネルまたは前記蓄電池から電力を取り出し可能な電源コネクタを備えることを特徴とする請求項１に記載の栽培施設。
【請求項３】
前記環境制御部は、太陽光の入射方向及び入射角の情報の取得手段を備え、記憶部に記憶された基準照度情報を取得し、前記基準照度情報に含まれる基準照度の設定値が実照度の測定値を上回る場合、前記複数のルーバーの遮光面が太陽光の入射方向と平行となる方向へと向かうよう、前記複数のルーバーを所定角度回転して、前記複数のルーバーの遮光量を低減し、基準照度の設定値が実照度の測定値を下回る場合、前記複数のルーバーの遮光面が太陽光の入射方向と対向する方向へと向かうよう、前記複数のルーバーを所定角度回転して、前記複数のルーバーの遮光量を増加するよう前記ルーバー装置を制御することを特徴とする請求項１または請求項２に記載の栽培施設。
【発明の詳細な説明】
【技術分野】
【０００１】
本発明は、屋内へ取り込む日射量及び屋内の照度が調節可能に構成された栽培施設に関するものである。
【背景技術】
【０００２】
従来、屋内へ取り込む日射量及び屋内の照度が調節可能に構成された栽培施設においては、電動式モーターにより巻取り可能な遮光カーテンを開閉し、その開度の調節によって、屋内に取り込む日射量を調節し、屋内が植物の生育に適した照度となるように構成されている。例えば、植物の生育に適した所定の照度に対して、屋内の照度が過大であるときは、遮光カーテンを閉動作して屋内へ取り込む日射量を抑え、逆に、照度が不足しているときは、遮光カーテンを開動作して屋内へ取り込む日射量を増加し、さらに、必要に応じて補光ランプの照射によって、照度の過不足を補うように構成された栽培施設が知られている（特許文献１）。
【先行技術文献】
【特許文献】
【０００３】
【特許文献１】特開２０１１−４５３１７号公報
【発明の概要】
【発明が解決しようとする課題】
【０００４】
しかしながら、特許文献１に記載のような、電動式の遮光カーテンを用いて屋内の照度を調節する場合、遮光カーテンの構造上、屋内へ取り込む日射量を精緻に調節することは難しく、屋内における照度の斑も生じやすかった。その結果、屋内の照度を斑なく、より精緻に調節する点について改善の余地があった。
また、電動式の遮光カーテンの駆動や補光ランプの照射に係る消費電力も大きく、不経済であった。特に、山岳部に設置される栽培施設においては、電源確保が容易でない場合も多く、栽培施設の省エネ化が望まれている。
【０００５】
そこで、本発明は、屋内の照度を斑なく、より精緻に調節可能とし、さらに、省エネ化に資する栽培施設を提供することを目的とする。
【課題を解決するための手段】
【０００６】
本発明のかかる目的は、
互いに平行な姿勢で同一平面上に等間隔に配置され、同期して回転可能に構成された複数のルーバーと、前記複数のルーバーの遮光面にそれぞれ配設された太陽光パネルとを有するルーバー装置と、
栽培施設内の実照度を測定する照度測定手段と、
前記ルーバー装置を制御可能に構成された環境制御部と、を備え、
前記環境制御部は、前記照度測定手段が測定した実照度の情報を取得し、屋内の実照度の測定値に基づいて、複数のルーバーの回転方向及び回転角を制御することを特徴とする栽培施設によって達成される。
【０００７】
本発明の栽培施設によれば、照度測定手段が測定した実照度の測定値を基に、前記複数のルーバーの回転方向及び回転角を制御する環境制御部によって、複数のルーバーの日射の遮光量が調節可能となっており、これにより、屋内へ取り込む日射量の精緻な調節が可能となり、その結果、屋内の照度を斑なく、より精緻に調節可能となる。さらに、前記複数のルーバーの遮光面にそれぞれ配設された太陽光パネルの発電によって、栽培施設の省エネ化が図られる。
【０００８】
本発明の好ましい実施態様においては、前記ルーバー部は、前記太陽光パネルの発電を充電する蓄電池と、前記太陽光パネルまたは前記蓄電池から電力を取り出し可能な電源コネクタを備えるように構成されている。
【０００９】
本発明のこの好ましい実施態様によれば、電源コネクタによって電力を取り出して各機器に供給することが可能となる。加えて、屋内の各機器に電力を供給するための電源ケーブルの配線を削減することが可能となる。これにより、栽培施設の利便性が向上する。
【００１０】
本発明のさらに好ましい実施態様においては、前記環境制御部は、太陽光の入射方向及び入射角の情報の取得手段を備え、記憶部に記憶された基準照度情報を取得し、前記基準照度情報に含まれる基準照度の設定値が実照度の測定値を上回る場合、前記複数のルーバーの遮光面が太陽光の入射方向と平行となる方向へと向かうよう、前記複数のルーバーを所定角度回転して、前記複数のルーバーの遮光量を低減し、基準照度の設定値が実照度の測定値を下回る場合、前記複数のルーバーの遮光面が太陽光の入射方向と対向する方向へと向かうよう、前記複数のルーバーを所定角度回転して、前記複数のルーバーの遮光量を増加するよう前記ルーバー装置を制御するように構成されている。
【００１１】
本発明のこのさらに好ましい実施態様によれば、前記環境制御部は、太陽光の入射方向及び入射角の情報を取得し、これに基づき、記憶部に記憶された基準照度情報と、前記照度測定部から取得した実照度情報の値を比較して、前記複数のルーバーの遮光量を調節し、日射導入量を増減するよう制御可能となる。これにより、太陽の日射角度等の変化に対応し、屋内へ取り込む日射量の精緻な調節が可能となり、その結果、屋内の照度をさらに斑なく、より精緻に調節可能となる。
【発明の効果】
【００１２】
本発明によれば、屋内の照度を斑なく、より精緻に調節可能とし、さらに、省エネ化に資する栽培施設を提供することが可能になる。
【図面の簡単な説明】
【００１３】
【図１】図１は、本発明の好ましい実施態様に係る栽培施設の内部構成図である。
【図２】図２は、図１のルーバー装置近傍の概略斜視図である。
【図３】図３は、栽培施設内の環境制御に係るシステム構成図である。
【図４】図４は、本発明の好ましい実施の形態に係る栽培施設の制御システムの構成図である。
【図５】図５は図３のルーバー装置の動作例を説明するための説明図である。
【図６】図６は図３のルーバー装置の動作例を説明するための説明図である。
【図７】図７は図３のルーバー装置の動作例を説明するための説明図である。
【図８】図８は、基準照度及び実照度の関係を説明するための説明図である。
【図９】図９は、図４の環境制御部による照度調節制御のフローチャートである。
【図１０】図１０は、図１のルーバー装置の別配置例を示す栽培施設の内部構成図である。
【発明を実施するための形態】
【００１４】
以下、添付図面に基づいて、本発明の好ましい実施態様につき、詳細に説明を加える。
【００１５】
図１は、本発明の好ましい実施態様に係る栽培施設の内部構成図である。なお、以下の説明においては、太陽の日射量から遮光量を差し引いた、栽培施設の屋内に取り込む日射量のことを日射導入量という。図１に示されるように、栽培施設１は、屋内への日射導入量の調節機能を有するルーバー装置１１と、栽培植物の生育促進に係る気体（以下、施用気体という。）を供給する気体供給装置１２と、各種機器を制御して栽培施設内の生育環境をコントロールする環境制御部１３と、栽培施設内の生育環境に係る測定値を取得する環境測定部１４を備えて構成されている。
【００１６】
また、ルーバー装置１１は、栽培施設１の上方から入射する太陽光の日射導入量を調節する上面ルーバー装置１１Ａと、側方から入射する太陽光の日射導入量を調節する側面ルーバー装置１１Ｂとによって構成されている。上面ルーバー装置１１Ａ及び側面ルーバー装置１１Ｂは、中空の管状体である支管１５に支持されている。
【００１７】
気体供給管１６は、全周に亘り多数の微細孔が形成された通気性の管壁を有する管状体でおり、管状体内部の気体を外部に均一に散布することができるように構成されている。これにより、気体供給装置１２と接続された気体供給管１６は、気体供給装置１２から施用気体の供給を受け、施用気体を散布する機能を果たす。なお、気体供給管１６は、フック状の係止部材１５ａによって、支管１５に支持されている。後述する環境制御部１３により、施用気体の供給のタイミングが制御可能に構成されている。施用気体として、例えば、二酸化炭素、空気等が供給可能となっている。
【００１８】
栽培施設１の屋内上方には、ＬＥＤ等の光源を並列状に配設して構成された複数の補光ランプ１７が設けられており、環境制御部１３によって点灯制御可能に構成されている。また、屋内の地表面近傍には、植物に対して上方への送風が可能な複数の送風ファン１８が設けられている。また、栽培施設１の天井部には、環境制御部１３によって開閉制御可能な天窓１９が設けられている。この複数の送風ファン１８は、駆動により、上方へと送風を行うことによって、植物の葉の裏面に送風を行い、これにより、植物の葉の温度を下げるとともに、葉面境界層に存在する二酸化炭素を除去して、植物の呼吸を助ける役割を果たしている。さらに、送風ファン１８の駆動と同時に天窓１９を開制御することにより、好適に上方への送風を行うことができるように構成されている。
【００１９】
図２は、本発明の好ましい実施態様に係る栽培施設のルーバー装置１１近傍の概略斜視図である。
上面ルーバー装置１１Ａ及び側面ルーバー装置１１Ｂは、それぞれ、矩形状の平坦面である遮光面を有し、互いに平行な姿勢で同一平面上に等間隔で配置された複数のルーバー１２１によって構成されたルーバー部１２０を備えている。この複数のルーバー１２１は、同期しながら回転可能に設けられ、これにより、遮光面の傾斜角度を変更可能に構成されており、この傾斜角度は、複数のルーバー１２１の回転方向及び回転角度が制御可能となっているルーバー制御装置１１０を介して、環境制御部１３により制御可能となっている。なお、従来の遮光カーテンにより遮光する構成によれば、遮光カーテンが屋内の通気性を低下させ、遮光カーテン下部に暖められた気流が過度に滞留し、植物にストレスを与える問題が存在するが、この複数のルーバー１２１によって、遮光する構成によれば、ルーバー１２１間に存在する隙間により、通気性が確保されるため、かかる問題を好適に防止できる。
【００２０】
図３は、図１のルーバー装置１１の概略断面図である。
図３に示されるように、ルーバー制御装置１１０は、複数のルーバー１２１の回転を制御するルーバー制御部１１１と、駆動により複数のルーバー１２１を回転する駆動機構１１２と、ルーバー制御装置１１０の各機構に電力を供給する電源１１３とを備えている。また、ルーバー制御部１１１は、環境制御部１３と情報を送受信可能に構成されたルーバー通信部１１４によって、環境制御部１３から制御信号を取得して、駆動機構１１２を駆動制御する。駆動機構１１２は、ルーバー部１２０の駆動軸と接続されており、この駆動軸の回転に応じて、複数のルーバー１２１が同期しながら回転し、遮光面の傾斜角度を変更可能に構成されている。なお、この遮光面の傾斜角度を変更する機構については、特開２０１７−７８３１６号公報に開示されているため、詳細な説明は省略する。
【００２１】
ルーバー１２１は、太陽光を遮光可能な基台であって遮光面を有する遮光部１２１ａと、遮光面に配設された太陽光パネル１２１ｂと、遮光部１２１ａの下方に配設されたユニット部１３０とを備えている。ルーバー装置１２１が太陽光パネル１２１ｂを備えていることにより、ルーバー部１２０は、太陽光の遮光機能に加え、発電機能も備えている。太陽光パネル１２１ｂによって発電された電力は、ユニット部１３０が備える後述の蓄電池１３２に蓄電されて、各機構が利用可能となっている。これにより、ルーバー部１２０は、太陽光パネル１２１ｂで発電した電力をルーバー装置１１０の駆動電力とするとともに、他の機器に供給することが可能となっている。
【００２２】
図４は、本発明の好ましい実施の形態に係る栽培施設１の制御システムの構成図である。
【００２３】
図４は、栽培施設１内の環境制御に係るシステム構成図である。
環境制御部１３は、ＣＰＵ、記憶装置、格納されたプログラム（いずれも図示せず）等を有する電子制御機構である。環境制御部１３は、栽培施設内の生育環境をコントロールするため各種機器を制御する制御装置であり、ネットワークＮＷを介して、ルーバー制御部１１１、気体供給装置１２、補光ランプ１７、送風ファン１８、天窓１９等の各機構に制御信号を送信するように構成されている。また、後述する環境測定部１４、ＧＰＳモジュール２０、照度測定部１３１の測定情報を取得可能に構成されている。
【００２４】
環境測定部１４は、栽培施設１内の温度や湿度、照度、二酸化炭素濃度等の環境値を測定するための複数のセンサを備えた環境測定センサ群であって、各測定値の情報を環境制御部１３へ送信可能となっている。
【００２５】
ＧＰＳモジュール２０は、ＧＰＳ（Ｇｌｏｂａｌ  Ｐｏｓｉｔｉｏｎｉｎｇ  Ｓｙｓｔｅｍ）から取得した情報を利用し、栽培施設の位置（例えば緯度および経度）を検出するセンサである。
【００２６】
設定部２１は、ユーザーが環境制御部１３に情報を入力し設定するための操作パネルである。
【００２７】
記憶部２２は、環境制御部１３の制御についての必要なデータが記憶されている。例えば、環境測定部１４や照度測定部１３１の各種測定情報、又は、環境制御部１３の実行履歴、設定部２１からの入力情報、ＧＰＳモジュール２０が取得した位置情報、日時情報、太陽方位情報を示す天文データ、栽培対象となる植物の生育に望ましい基準の照度を示す基準照度などの各種情報が記憶されている。また、照度測定部１３１や環境測定部１４の測定値が記憶されている。
【００２８】
ルーバー装置１１は、日射導入量の調節機構であり、前述の通り、日射を遮光可能なルーバー部１２０と、ルーバー部１２０を駆動制御して、日射の遮光量を調節することによって、日射導入量を調節可能なルーバー制御装置１１０を備えている。
【００２９】
ここで、ルーバー制御部１１１、駆動機構１１２、電源１１３、ルーバー通信部１１４については、前述の通りであるため、説明を省略する。
【００３０】
ルーバー部１２０及びルーバー部１２０が備えているルーバー１２１、遮光部１２１ａ、太陽光パネル１２１ｂについても、前述の通りであるため、説明を省略する。
【００３１】
ルーバー部１２０が備えているユニット部１３０は、照度測定部１３１、蓄電池１３２、電源コネクタ１３３、ユニット通信部１３４を備えている。
【００３２】
照度測定部１３１は、ルーバー１２１の下方に各々配設され、栽培施設１の屋内の照度である実照度を測定可能な照度センサである。照度センサは、ルーバー１２１の下方に配設された箱体のユニット部の上面に配設されている。照度測定部１３１がルーバー１２１の下方に配設されていることにより、環境制御部１３は、ルーバー１２１を通過し、栽培施設内に導入された日射導入量をルーバー１２１毎に取得可能となっている。なお、環境制御部１３は、取得したルーバー１２１毎の日射導入量の平均値を算出し、これを栽培施設１内の全体の日射導入量及び実照度と判断する。なお、照度センサは、照度の計測値をより好適に取得するために、箱体のユニット部の下方に吊止する構成としてもよい。なお、栽培施設１内の実照度の測定値は、この照度測定部１３１による照度センサの計測値によって得られるが、栽培植物近傍に配設された環境測定部１４によって測定された照度の測定値を、実照度の測定値として用いることもできる。この場合、栽培対象となる植物近傍の照度を実照度としてより正確に取得可能となる。
【００３３】
蓄電池１３２は、ユニット部１３０に配設され、太陽光パネル１２１ｂで発電した電力を充電可能となっている。これにより、太陽光パネル１２１ｂで発電された電力は、照度測定部１３１等の各機構の駆動電力に使用され、余剰電力が蓄電池１３２に充電されるように構成されている。また、蓄電池１３２に充電された電力は、補光ランプ１７の照射に利用可能となっており、これにより、日射量が過剰であるときは、蓄電池１３２に電力を充電し、日射量の不足時に、蓄電池１３２に電力を用いて補光ランプ１７を照射することができる。その結果、栽培施設１の省エネ化及び植物の日照不足の解消が図られる。
【００３４】
電源コネクタ１３３は、コネクタの接続によって、太陽光パネル１２１ｂ及び蓄電池１３２の電力を取り出すことができるように構成されている。これにより、栽培施設１内における電源確保が容易となり、これにより、栽培施設１の利便性が向上する。加えて、栽培施設１内に配設する電源ケーブルを削減できるため、電源ケーブルの故障等による不具合も防止でき、コストも削減できる。
【００３５】
ユニット通信部１３４は、照度測定部１３１の測定情報を環境制御部１３に送信可能なユニットである。これにより、環境制御部１３は、照度測定部１３１の測定値から栽培施設１内の実照度を取得することが可能となっている。
【００３６】
以下、上面ルーバー装置１１Ａを例として、ルーバー装置１１の動作例を説明する。側面ルーバー装置１１Ｂについて、基本的な構成及び動作は、上面ルーバー装置１１Ａと同様であるため説明は省略する。
【００３７】
図５ないし図７は、ルーバー装置１１の動作例を説明するための説明図である。
【００３８】
図５ないし図７において、太陽の南中方向をＳとし、各ルーバー１２１の遮光面が向く方向を法線方向ｎとし、南中方向Ｓに対して法線方向ｎのなす角を、ルーバー１２１の回転角αとし、太陽光の入射角をβとする。また、回転角αは、真南を０度として、西向きをプラス、東向きをマイナスとして表す。ルーバー装置１１は、環境制御部１３から送信された制御信号をルーバー制御装置１１０が取得し、ルーバー制御装置１１０が、取得した制御信号に基づいて、駆動機構１１２を駆動し、各ルーバー１２１の回転方向及び回転角αが制御されるよう構成されている。ここで、環境制御部１３は、記憶部２２に記憶されたＧＰＳモジュール２０が取得した位置情報、日時情報、太陽方位情報を示す天文データの少なくとも一つに基づいて太陽の方位を算出し、太陽の南中方向Ｓ、太陽光の入射方向及び入射角βを示す日射情報を取得する。
【００３９】
日射の遮光量を抑えて太陽光を最大限通過させ、日射導入量を最大とする場合、図５に示されるように、法線方向ｎは、太陽光の入射方向と垂直となるように制御され、各ルーバー１２１の回転角αは、太陽光の入射角βと等しくなるように、ルーバー装置１１が制御される。このとき、各ルーバー１２１の日射の遮光量は最小となり、太陽光パネル１２１ｂの発電量も、遮光量の減少に応じて低減することとなる。
【００４０】
日射導入量を所定量減少させるように制御する場合、図６に示されるように、各ルーバー１２１を図５に示された状態から、各ルーバー１２１の遮光面を太陽光の入射方向に対して傾斜させ、角度θ傾けるようルーバー装置１１が制御される。なお、このとき、各ルーバー１２１の回転角αは、太陽光の入射角β−θとなる。また、後述する環境制御部１３による照度減少制御は、この角度θを現状から所定量、例えば、１０度増加させるよう複数のルーバー１２１の回転方向及び回転角を決定してルーバー装置１１を制御することを指す。すなわち、ルーバー装置１１は、複数のルーバー１２１の遮光面がそれぞれ太陽光の入射方向と対向する方向へと向かうよう、複数のルーバー１２１をそれぞれ所定角度回転して、複数のルーバー１２１の遮光量を増加するよう制御される。これにより、日射導入量を所定量減少し、屋内の照度を減少できる。また、照度増加制御は、照度減少制御と逆に、この角度θを現状から所定量、例えば、１０度減少させるよう複数のルーバー１２１の回転方向及び回転角を決定してルーバー装置１１を制御することを指す。すなわち、ルーバー装置１１は、複数のルーバー１２１の遮光面が太陽光の入射方向と平行となる方向へと向かうよう、複数のルーバー１２１を所定角度回転して、複数のルーバー１２１の遮光量を低減するように制御される。これにより、日射導入量を所定量増加し、屋内の照度を増加できる。
【００４１】
日射の遮光量を増やし太陽光を最大限遮光して、日射導入量を最小とする場合、図７に示されるように、各ルーバー１２１の法線方向ｎが、太陽光の入射方向と対向するようにルーバー装置１１が制御される。なお、このとき、各ルーバー１２１の回転角αは、太陽光の入射角βに対し、−βとなる。また、このとき、各ルーバー１２１の日射の遮光量は最大となり、太陽光パネル１２１ｂの発電量も、遮光量の増加に応じて、増大することとなる。
【００４２】
次に、図８及び図９を用いて、環境制御部１３による照度調節制御について説明する。ここで、照度調節制御とは、屋内の照度と調節する制御であり、屋内の環境に応じて、照度増加制御及び照度減少制御を実行する制御をいう。図８は、基準照度及び実照度の関係を説明するための説明図である。基準照度は、栽培対象となる植物の生育に望ましい照度の基準値を時系列で示す情報であり、図８の実線Ｃ１で示されている。この基準照度は、ユーザーが、設定部２１によって任意の値を設定可能となっており、これが基準照度情報として記憶部２２に記憶される。ここで、栽培対象となる植物の種類に応じて、最適な基準照度は異なるため、基準照度情報は、植物の種類に応じて、ユーザーにより、臨機応変に値が設定できるように構成されている。図８の実線Ｃ２で示される実照度は、環境測定部１４または照度測定部１３１によって測定された屋内の照度を示す情報である。
【００４３】
図９は、環境制御部１３による照度調節制御のフローチャートである。この照度調節制御は、所定時間毎に実行され、栽培施設１内の照度の調節がなされる。まず、環境制御部１３は、記憶部２２から基準照度の情報を取得する（ステップＳ１）。例えば、図８の場合においては、時刻１２時頃における基準照度は、１０００Ｗ／ｍ２程度である。次に、環境測定部１４または照度測定部１３１から得られる測定値を含む実照度の情報を取得する（ステップＳ２）。ここで、図８の場合においては、時刻１２時頃における実照度は、８００Ｗ／ｍ２程度である。
【００４４】
次に、環境制御部１３は、太陽の南中方向Ｓ、太陽光の入射方向及び入射角βを示す日射情報を取得する（ステップＳ３）。次に、環境制御部１３は、各ルーバー１２１の回転角αの情報を取得する（ステップＳ４）。
【００４５】
続いて、環境制御部１３は、基準照度と実照度の値を比較し、基準照度の値が実照度の値よりも大きい場合、照度が不足している状況と判断し、照度増加制御を実行し、日射導入量を増加し、屋内の照度を増加する。基準照度の値が、実照度の値以下の場合、照度が過分である状況と判断されるため、照度減少制御を実行し、日射導入量を減少し、屋内の照度を減少する。例えば、図８の場合、時刻６時〜１４時頃の時間帯においては、基準照度が実照度よりも大きいため、照度増加制御が実行される。時刻１４時〜１９時頃の時間帯においては、基準照度が、実照度以下であるため、照度減少制御が実行される。このようにして、栽培施設１は、日中の太陽光の入射角の変化に対応して日射導入量を調節可能に構成されており、その結果、屋内へ取り込む日射量の精緻な調節が可能となり、屋内の照度をさらに斑なく、より精緻に調節可能となっている。
【００４６】
本発明は、以上の実施態様に限定されることなく、特許請求の範囲に記載された発明の範囲内で種々の変更が可能であり、それらも本発明の範囲内に包含されるものであることはいうまでもない。
【００４７】
図９のフローチャートにおいて、環境制御部１３が、基準照度と実照度の値を比較して、照度増加制御または照度減少制御を実行するように構成したが、実照度の累計である積算照度を算出して、所定の時刻における基準の積算照度の値と実際の積算照度の値の比較によって、照度増加制御または照度減少制御を実行するように構成してもよい。すなわち、所定の時刻における基準の積算照度の値が実際の積算照度の値が大きい場合、照度減少制御を実行し、その逆であれば、照度増加制御を実行する。これにより、栽培植物に対し好適な積算照度となるような制御が実現でき、例えば、一日単位などの所定の時間の幅を持たせた照度管理が可能となる。また、環境制御部１３は、日没時に、基準の積算照度の値と実際の積算照度の値を比較し、実際の積算照度が基準の積算照度に満たない場合、補光ランプ１７を所定時間照射して日照不足を補うようにしてもよい。これにより、栽培施設１の省エネ化を図りながら、好適に植物の日照不足を解消し、生育を促進できる。
【００４８】
また、図９のフローチャートにおいて、照度を参照するように構成したが、温度や湿度を参照してもよい。例えば、所定の時刻に計測された温度が、予め設定された基準温度を上回る場合は、照度減少制御を実行し、基準温度以下の場合は、照度減少制御を実行することで、栽培植物の葉温を好適に保ち、生育を促進できる。この場合、照度減少制御を実行とともに、送風ファン１８の駆動制御により植物の葉裏に送風することで、より好適に、栽培植物の葉温を下げ、植物へのストレスを抑えることができる。
【００４９】
また、図９のフローチャートにおいて、環境制御部１３は、照度増加制御または照度減少制御を実行するように構成したが、これに加えて、所定の条件により、気体供給装置１０２を制御して施用気体を栽培植物へ散布するよう制御しても良い。例えば、実照度が所定値以上の場合は、栽培植物の光合成が活性化していると考えられるため、気体供給装置１０２を制御し、二酸化炭素や空気などの施用気体を栽培植物へ散布するように構成してもよい。これにより、栽培植物の光合成を促進し、生育の促進が図られる。
【００５０】
また、図１０は、図１のルーバー装置１１の別配置例を示す栽培施設の内部構成図である。図１においては、ルーバー装置１１を支管１５で支持するように構成したが、支管１５で支持することは必須ではなく、所定の支持部材で支持するように構成してもよい。また、上面ルーバー装置１１Ａについても、図１０に示されるように、栽培施設１の屋根部分の傾斜に沿って、傾斜を持たせて配置するように構成してもよい。これにより、太陽光の受光面積を増加して、太陽光パネル１２１ｂの発電量を増加できる。
【００５１】
また、環境制御部１３は、記憶部２２に記憶されたＧＰＳモジュール２０が取得した位置情報、日時情報、太陽方位情報を示す天文データの少なくとも一つに基づいて太陽の方位を算出し、太陽の南中方向Ｓ、太陽光の入射方向及び入射角βを示す日射情報を算出するように構成したが、栽培施設１内の所定位置にフォトセンサを複数配置し、各センサの信号出力差を比較することによって、太陽光の入射方向及び入射角βを示す日射情報を算出するように構成してもよい。
【符号の説明】
【００５２】
１        栽培施設
１１    ルーバー装置
１２    気体供給装置
１３    環境制御部
１４    環境測定部
１５    支管
１６    気体供給管
１７    補光ランプ
１８    送風ファン
１９    天窓
２０    ＧＰＳモジュール
２１    設定部
２２    記憶部
１１０    ルーバー制御装置
１１１    ルーバー制御部
１１２    駆動機構
１１３    電源
１１４    ルーバー通信部
１２０    ルーバー部
１２１    ルーバー
１２１ａ    遮光部
１２１ｂ    太陽光パネル
１３０    ユニット部
１３１    照度測定部
１３２    蓄電池
１３３    電源コネクタ
１３４    ユニット通信部
ＮＷ      通信ネットワーク
【図１】
2019198268.tif 000003
【図２】
2019198268.tif 000004
【図３】
2019198268.tif 000005
【図４】
2019198268.tif 000006
【図５】
2019198268.tif 000007
【図６】
2019198268.tif 000008
【図７】
2019198268.tif 000009
【図８】
2019198268.tif 000010
【図９】
2019198268.tif 000011
【図１０】
2019198268.tif 000012